(57)【要約】【課題】  光ディスクに対する高速記録を実行する場合でも、記録データの正しい値をとり込むことができるようにして、この高速記録を正確に実施できるようにする。【解決手段】  制御部１７は、イコライズ部１９でイコライズをする周波数とゲインを設定する。イコライズ部１９は、記録データWdataを高周波領域側でゲインが高くなるようにイコライズを行なう。変調信号生成部４において、記録データWdataとクロック信号WCKから記録データWdataの記録波形を復元して２値化する。復元後の記録データWdataについて変調してパルス列とする。【選択図】    図２
2005228373.tif 000002
【特許請求の範囲】
【請求項１】
パルス列で光源を発光させて記録媒体に照射することにより記録データを前記記録媒体に記録する光情報記録装置において、
前記記録データと前記記録データが示す前記記録媒体に記録する記録マーク長とスペース長の長さを規定するクロック信号とから前記記録データの記録波形を復元して２値化する第１の手段と、
前記復元後の記録データについて変調して前記パルス列とする第２の手段と、
前記復元前の記録データをイコライズする第３の手段と、
を備えている光情報記録装置。
【請求項２】
前記第３の手段は、前記記録データを高周波領域側でゲインが高くなるように前記イコライズを行なう、請求項１に記載の光情報記録装置。
【請求項３】
前記イコライズをする周波数とゲインを設定する第４の手段を、さらに備えている請求項１又は２に記載の光情報記録装置。
【請求項４】
パルス列で光源を発光させて記録媒体に照射することにより記録データを前記記録媒体に記録する光情報記録方法において、
前記記録データと前記記録データが示す前記記録媒体に記録する記録マーク長とスペース長の長さを規定するクロック信号とから前記記録データの記録波形を復元して２値化する第１の工程と、
前記復元後の記録データについて変調して前記パルス列とする第２の工程と、
前記復元前の記録データをイコライズする第３の工程と、
を備えている光情報記録方法。
【請求項５】
前記第３の工程は、前記記録データを高周波領域側でゲインが高くなるように前記イコライズを行なう、請求項４に記載の光情報記録方法。
【請求項６】
前記イコライズをする周波数とゲインを設定する第４の工程を、さらに備えている請求項４又は５に記載の光情報記録方法。
【発明の詳細な説明】
【技術分野】
【０００１】
本発明は、パルス列で光源を発光させて記録媒体に照射することにより記録データを前記記録媒体に記録する光情報記録装置及び光情報記録方法に関する。
【背景技術】
【０００２】
特許文献１には、マルチパルス記録方法において、光ディスクへの照射光の時間分解能を向上させて、マーク位置制御を行おうとする技術が開示されている。
【０００３】
特許文献２には、記録用レーザ光のトップパワーの一部の区間に該トップパワー値を一時的に増大させるトップパワー付加パルスを付加するし、単位ピット長に対する該トップパワー付加パルスのパルス幅の割合を、同一長さのピットに対しては、記録速度倍率が速くなるほど小さくし、トップパワーとボトムパワーのレベル差に対するトップパワー付加パルスのピークパワーとトップパワーのレベル差の比率を、同一長さのピットに対しては、記録速度倍率が速くなるほど小さくし、さらに、単位ピット長に対するトップパワーの立ち上がりからトップパワー付加パルスの立ち上がりまでの遅れ幅の割合を、同一長さのピットに対しては、記録速度倍率が速くなるほど大きくする技術が開示されている。
【０００４】
【特許文献１】特許第３１３８６１０号公報
【特許文献２】特開２０００−２８５４６４号公報
【発明の開示】
【発明が解決しようとする課題】
【０００５】
光ディスク装置においては、光源である半導体レーザ（Laser Diode（以下、レーザダイオードという）を変調した光を記録媒体である光ディスクに照射して記録を行っている。例えば、ＣＤ−ＲＷやＤＶＤ＋ＲＷなどに代表される相変化型の光ディスクでは、媒体を融点以上まで昇温し、光ディスクの結晶化時間を超えないように急冷することにより、アモルファス状態、つまり記録マークを形成する。よって、正確にマーク形状や位置制御を行うためには、媒体への照射エネルギー、時間を正確に制御しなければならず、正確な光波形を生成し、正確なエネルギー照射をする必要がある。そのため、高速記録においては、光波形の立上がり／立下がり特性は特に重要な項目となる。また、ＣＤ−ＲやＤＶＤ＋Ｒなどに代表される色素系追記型の光ディスクでは、光照射による熱分解やそれに伴う基板変形による光学的変化を生じさせることにより、記録マークを形成する。よって、正確にマーク形状や位置制御を行うためには、同様に、正確な光波形を生成する必要がある。また、ＭＯやＭＤなどに代表される光磁気記録媒体でも、キュリー点近傍での磁化の反転を利用しており、同様である。
【０００６】
すなわち、いずれのタイプの記録媒体においても、記録層に光を照射することにより所定の臨界温度以上に昇温させ、物理的または化学的変化をさせて記録を行っている。そのため、媒体への照射エネルギー、つまり照射パワー及び照射時間を正確に制御することが重要になる。
【０００７】
また、ＣＤやＤＶＤなどの多くの光ディスクの記録方法においては、高密度化に適したマークの長さが情報を担うマークエッジ記録が採用されており、正確にデータを再生するためにはマークの形状やエッジ位置の正確な制御が必要となっている。さらには、マーク長が異なっても一様にマーク形状を整えるため、複数の記録パルスに分割したパルス列で記録マークを形成するマルチパルス記録方法が広く用いられている。すなわち、加熱、冷却のサイクルを繰返してマークを繋げて形成することにより一様な長マークを形成するものである。この方法は色素系追記型の媒体でも適用されている。なお、以下の説明では、光ディスクを昇温させるための高パワーでの照射を行うパルスを加熱パルス、温度上昇をさせないよう（急冷させるよう）低パワーでの照射を行うパルスを冷却パルスと称する。
【０００８】
このため、従来は照射光の時間分解能を向上させて、マーク位置制御を行っていた（特許文献１参照）。
【０００９】
ところで、近年の高速記録化の要求に伴い、高速な光変調が求められており、記録品質を保ったまま高速記録を行うには、照射時間及び冷却時間の時間分解能をより向上させなければならない（例えば、従来の技術によりＤＶＤに１０倍速で記録をするには、約１００ｐｓもの分解能が必要とされる）。従って、従来の技術で高速記録化を行うには、実現そのものが困難であったり、大幅な製造コストの上昇を招いてしまう不具合がある。
【００１０】
また、以下に説明するように、照射光の光波形の立上がり、立下がりの遅れ（なまり）により、光ディスクへの適正な加熱・冷却が行われず、マーク形状やマークの位置の精度が損なわれるという不具合もある。
【００１１】
すなわち、図７は、従来の光ディスク装置の光源駆動装置によりレーザダイオードを駆動する場合の課題を説明する説明図である。ＬＤ駆動部３０１は駆動電流を供給する電流源以外は図示を省略する。また、図８は、この回路によるレーザダイオードの出力する光波形の一例である。
【００１２】
レーザダイオードは、通常、アノード・カソード間に接合容量を有する（加えて寄生容量も生じる）。符号３０２は、この接合容量を考慮した簡便なレーザダイオードの等価モデルである。符号ＣＬＤは接合容量（寄生容量も含む）、rはオン抵抗、レーザダイオードＬＤｉは理想レーザダイオードである。この接合容量ＣＬＤがあると、レーザダイオードの所定の駆動電流ＩLDを急峻な立上がり、立下がりでレーザダイオードに流しても（図８（ａ））、一部の電流は接合容量の充放電電流Ｉcとして流れるため、理想レーザダイオード（レーザダイオードＬＤｉ）には、この充放電の間、電流の過不足が生じ、レーザダイオードＬＤｉを流れる電流の立上がり、立下がり時間は遅くなり、実際の光出力波形の立上がり、立下がり時間が遅くなり（なまり）、所望の光波形で発光させることができなくなる（図８（ｂ）の実線）。これにより、光ディスクに形成するマークの形状や位置の精度が損われ、結果としてデータエラーの原因となる。特に、高速記録する際は高出力なレーザダイオードが必要となるが、一般に高出力のレーザダイオードは接合容量が大きく、さらには高速な立上がり、立下がりが要求されるため、この問題は顕著である。
【００１３】
これらの不具合に対しては、レーザダイオードの駆動電流に付加電流を加えることにより光の立上がり、立下がり時間を速くする方法が提案されているが（特許文献２を参照）、半導体レーザは個別デバイスごと、また、異なる種類の半導体レーザごとに、半導体レーザの接合容量及び半導体レーザの電流に対する電圧降下量が大きくばらついてしまうため、かかる手段によっては、光の立上がり、立下がり時間も半導体レーザによりばらついてしまうという不具合がある。
【００１４】
更に、記録速度が増大すると、記録すべきデータ（記録データ）と、記録すべきデータの基本時間サイクルを示すクロック（クロック信号）とが２値的な変化を示す信号とはならなくなり、記録データの時間幅が不正確になってしまう。これは、とりわけＤＶＤへの記録を１６倍速で行なう場合に、基本時間サイクルが２．５ｎｓ以下になるので顕著となる。
【００１５】
この影響を除去するため、差動信号による転送を実施して高速に同期データを転送することも考えられるが、このような方式を用いた場合、光ディスク装置の光ピックアップ（光ヘッド）への配線本数の増大と、送り側／受け側のＬＳＩのピン数と同時に出力部のトランジスタサイズ等が大きくなりコスト面で望ましくないという不具合がある。
【００１６】
本発明の目的は、記録媒体に対する高速記録を実行する場合でも、記録データの正しい値をとり込むことができるようにして、この高速記録を正確に実施できるようにすることである。
【課題を解決するための手段】
【００１７】
本発明は、パルス列で光源を発光させて記録媒体に照射することにより記録データを前記記録媒体に記録する光情報記録装置において、前記記録データと前記記録データが示す前記記録媒体に記録する記録マーク長とスペース長の長さを規定するクロック信号とから前記記録データの記録波形を復元して２値化する第１の手段と、前記復元後の記録データについて変調して前記パルス列とする第２の手段と、前記復元前の記録データをイコライズする第３の手段と、を備えている光情報記録装置である。
【００１８】
別の面から見た本発明は、パルス列で光源を発光させて記録媒体に照射することにより記録データを前記記録媒体に記録する光情報記録方法において、前記記録データと前記記録データが示す前記記録媒体に記録する記録マーク長とスペース長の長さを規定するクロック信号とから前記記録データの記録波形を復元して２値化する第１の工程と、前記復元後の記録データについて変調して前記パルス列とする第２の工程と、前記復元前の記録データをイコライズする第３の工程と、を備えている光情報記録方法である。
【発明の効果】
【００１９】
本発明によれば、記録マーク長とスペース長とを表す記録データをイコライズしたうえで２値化することにより、記録媒体に対する高速記録を実行する場合でも、記録データの正しい値をとり込むことができるようになるので、この高速記録を正確に実施することができる。
【発明を実施するための最良の形態】
【００２０】
本発明を実施するための最良の一形態について説明する。
【００２１】
次に、光ディスクに対して情報の記録再生を行う、本発明の一実施の形態である光情報記録再生装置１について説明する。
【００２２】
図１は、光情報記録再生装置１０１の概略構成を示すブロック図である。図１に示すように、光情報記録再生装置１０１は、本発明の光情報記録装置を実施するもので、光記録媒体である光ディスクＤに対して情報の記録、再生を行う。この光ディスクＤは、図示しないローディング機構により交換可能になっている。
【００２３】
回転モータ１０２は、光ディスクＤを回転させる。
【００２４】
光ヘッド１０３は、記録再生用のレーザ光源であるレーザダイオードＬＤ（図２参照）、光ディスクＤにレーザ光を集光させて光スポットを作り、その反射光を検出するための対物レンズその他の光学系、前述の反射光を複数分割した光電変換器で電気信号に変換する受光素子であるフォトダイオード、前述の対物レンズを焦点方向と半径方向に移動して、光ディスクＤの案内溝追跡などを行なうためのレンズアクチェータ、光ヘッド１０３の全体を光ディスクＤの半径方向に移動させるためのヘッドアクチェータなど、を備えている。これらは周知の構成であるため、詳細な説明は省略する。
【００２５】
ＬＤ駆動部１０４は、光ヘッド３に実装された前述のレーザダイオードＬＤを記録データに応じて変調してデータ記録を行なう。
【００２６】
アクチェータ駆動部１０５は、周知の（図示しない）焦点追跡及び案内溝追跡手段により、焦点と案内溝追跡サーボ動作を行なうようにレンズアクチェータ、ヘッドアクチェータを駆動するとともに、アクセス制御部１０６の指令により、記録データを書き込むべき目標位置（光ディスクＤの半径位置及び記録層の別）まで光ヘッド１０３の光スポットを移動させるようレンズアクチェータ、ヘッドアクチェータを駆動する。
【００２７】
データ記録制御部１０７は、記録しようとする記録データ（Wdata）が書き込まれるべき目標アドレスと、対応する光ディスクＤの位置とを比較して、一致したら記録データをレーザダイオードＬＤ制御部７に送出する。
【００２８】
ウォブル検出部１０８は、光ヘッド１０３のフォトダイオードＰＤの信号から、光ディスクＤの案内溝の蛇行成分を検出する。具体的には、案内溝に沿って分割されたすくなくとも２つのフォトダイオードＰＤで、光スポットの反射光の１次回折光をそれぞれ検出する。この２つのフォトダイオードＰＤの差信号はプッシュプル（Push-Pull）信号と呼ばれる。
【００２９】
記録クロック（Write Clock）生成部１０９は、ウォブル信号に位相同期したクロック信号（WCK）を生成する。これは、一般には、ウォブル信号の逓倍クロックを生成するＰＬＬ回路である。そして、このクロック信号を基準に記録データをＬＤ駆動部１０４に供給することで、光ディスクＤ上の精密な位置に記録データを書き込むことができる。
【００３０】
ＣＬＶ（Constant Linear Velocity：線速度一定）サーボ（Servo）部１１０は、ウォブル信号と基準信号（図示しない）とを位相比較した結果に応じて、回転モータ駆動部１１１で回転モータ１０２を駆動する。光ディスクＤの案内溝のウォブルは一定の空間周波数で光ディスクＤに刻まれているので、回転モータ１０２が精密にウォブル信号に同期して回転することによりＣＬＶ制御が実現される。
【００３１】
ＡＤＩＰデコード部１１２は、ウォブル信号の変調成分を復調して、ＡＤＩＰ情報を生成する。検出されたＡＤＩＰ情報は、データ記録制御部１０７と、アクセス制御部１０６に、現在の光ディスクＤのアドレス情報として出力される。
【００３２】
そして、アクセス制御部１０６では、記録データが示す目標アドレスと、ＡＤＩＰデコード部１２で検出した現在の光ディスクＤのアドレスとを比較して、光ヘッド１０３が集光する光スポットを目標のアドレスに近づけるように、アクチェータ駆動部１０５に移動指令を送出する。
【００３３】
ＣＰＵ１１３は、ＲＯＭ１４に記憶されている制御プログラムなどに基づき、ＲＡＭ１１５を作業エリアとして、光情報記録再生装置１０１の全体を集中的に制御する。
【００３４】
図２は、ＬＤ駆動部１０４の構成を示す説明図である。
【００３５】
ＬＤ駆動部１０４は、レーザダイオードＬＤの照射レベルＰ０、Ｐ１、Ｐ２を設定する照射レベル設定部２と、前述の記録データ信号Wdataをイコライズ部１９を介してイコライズした信号と記録クロック信号WCKとからレーザダイオードＬＤの変調信号Mod1、Mod2を生成する変調信号生成部４と、レーザダイオードＬＤの照射レベルＰ０、Ｐ１、Ｐ２にそれぞれ対応した照射レベルデータＰ０Data、Ｐ１Data、Ｐ２Data及び変調信号Mod1、Mod2に基づき、レーザダイオードＬＤの変調電流Ｉmodを生成する変調部３と、変調信号生成部４の生成する変調タイミング（変調信号Mod1、Mod2の立上がり／立下がりタイミングまたはその一部に対応する）に基づき、加熱パルスへの付加パワーを重畳するオーバーシュート電流Ｉos及び冷却パルスへの付加パワーを重畳するアンダーシュート電流Ｉusを生成する付加電流生成部１８と（以下、電流Ｉos及びＩusを付加電流と総称する）、レーザダイオードＬＤの出射光の一部をモニタする受光素子ＰＤからのモニタ受光信号が入力され、このモニタ受光信号に基づきレーザダイオードＬＤの出射光量が所望の値となるようにバイアス電流Ｉbias及び変調電流のスケールを指示するスケール信号Ｉsclを制御するレーザダイオードＬＤ制御部７と、レーザダイオードＬＤ変調電流Ｉmodとバイアス電流Ｉbiasとを加算し、さらにオーバーシュート電流Iosを加算し、アンダーシュート電流Ｉusを減算する加減算部５と、加減算部５から供給される電流ＩLD'を増幅し、レーザダイオードＬＤの駆動電流ＩLDを供給する電流駆動部6と、ＣＰＵ１１３から供給される制御コマンドを受信して、ＬＤ駆動部１０４の各部を制御する制御部１７と、を備えている。
【００３６】
変調部３は、照射レベルデータＰ０Data、Ｐ１Data、Ｐ２Dataに基づき、それぞれ電流Ｉ0、Ｉ1、Ｉ2を供給する電流源８（Ｄ／Ａコンバータ８ａ、８ｂ、８ｃからなる）と、変調信号Mod1、Mod2に従い、それぞれ電流Ｉ1、Ｉ2をオンオフ制御するスイッチ９（スイッチ９ｂ、９cを備えている）と、スイッチ９の出力する各電流を加算し、ＬＤ変調電流Ｉmodを供給する加算部１０と、から構成される。
【００３７】
付加電流生成部１８は、変調信号生成部４の生成する変調タイミングに基づきオーバーシュート電流Ｉos及びアンダーシュート電流Ｉusを重畳する期間を指定する付加信号（それぞれModO、ModU）を生成する付加信号生成部１１と、オーバーシュート電流Ｉos及びアンダーシュート電流Ｉusの電流値Ｉ3,Ｉ4を設定し、その設定データＰ３Data、Ｐ４Dataを供給する付加パワー設定部１６と、オーバーシュート電流設定データＰ３Dataまたはアンダーシュート電流設定データＰ４Dataに基づき、それぞれ電流Ｉ3、Ｉ4をそれぞれ供給する電流源となるＤ／Ａコンバータ１３ａ、１３ｂと、付加信号ModO、ModUに従いそれぞれ電流Ｉ3、Ｉ4をオンオフ制御してオーバーシュート電流Ｉos及びアンダーシュート電流Ｉusを生成するスイッチ１４ａ、１４ｂと、オーバーシュート電流Ｉos及びアンダーシュート電流Ｉusの付加時間を設定する付加時間設定部１５と、を備えている。
【００３８】
付加パワー設定部１６は、付加パワー制御部３０の制御により電流源であるＤ／Ａコンバータ１３ａ、１３ｂの値を設定する。
【００３９】
なお、ＬＤ制御部７は、周知の構成であり、詳細な構成、動作の説明は省略するが、バイアス電流IbiasはほぼレーザダイオードＬＤの閾値電流Ｉthとなるように、スケール信号ＩsclはレーザダイオードＬＤの微分量子効率に応じて制御される。
【００４０】
図３は、図２の構成における各主要信号の信号波形の一例を示すタイミングチャートである。ここでは光ディスクＤが相変化型光ディスクであるときのデータの記録時について例示しており、光波形（ｄ）は所望の光波形であり、この光の照射により記録マーク（ｅ）が形成される。Ｐｂ、Ｐｅ、Ｐｗは，それぞれ、ボトムパワーレベル、イレースパワーレベル、ライトパワーレベルの各照射レベルであり、それぞれ前述の電流ＩLD'が“Ｉbias+Ｉ０”、“Ｉbias+Ｉ０+Ｉ１”、“Ｉbias+Ｉ０+Ｉ２”となる照射レベルである。つまり、照射レベルは、電流源８が出力する電流値Ｉ０，Ｉ１，Ｉ２をそれぞれ設定する照射レベル設定部２による照射レベルデータＰ０Data、Ｐ１Data、Ｐ２Dataにより決められる。また、Ｐｗ２はライトパワーレベルＰｗに所定のパワーを付加した照射レベルであり、パワー付加分“Ｐｗ２−Ｐｗ”は電流値Ｉ３に相当する。同様に、Ｐｂ２はボトムパワーレベルＰｂから電流値Ｉ４に相当するパワー分を引いた照射レベルである。そして、マルチパルス列のうち、先頭パルスＴＰとその次の冷却パルスにより記録マークの前縁部ａが、最終パルスＬＰとその次の冷却パルスにより記録マークの後縁部ｃが、中間パルスＭＰと次の冷却パルスでそれぞれ中間部ｂ１、ｂ２が形成されて、記録データWdata（ｃ）に対応した一つの記録マーク（ｅ）が形成される。
【００４１】
変調信号Mod1、Mod2（f−１）（f−２）は、変調信号生成部４において、予め設定された所望の光波形の変調タイミングを指示する駆動波形情報に基づき、記録データWdata（ｃ）に対応して生成される。
【００４２】
付加信号Mod0（ｇ−１）は、付加信号生成部１１において、変調信号Mod1又はMod2の立上がりに同期して付加時間設定部１５より指示されるオーバーシュート電流の付加時間（Ｔｏ１、Ｔｏ２、Ｔｏ３）だけＨレベルとなるように生成される。この付加時間（Ｔｏ１、Ｔｏ２、Ｔｏ３）はそれぞれ、光波形（ｄ）の波形ＴＰ、ＭＰ、ＬＰを生成する際の付加時間を示す。これによりオーバーシュート電流Ｉosが生成され、これは、レーザダイオードＬＤの駆動電流に加算される。同様に、付加信号ModU（ｇ−２）は、変調信号Mod2の立下がりに同期して付加時間設定部１５により指示されるアンダーシュート電流の付加時間（Ｔｕ１，Ｔｕ２，Ｔｕ３）だけＨレベルとなるように生成される。これら変調信号Mod1、Mod2及び付加信号ModO、ModUに従い、駆動電流ＩLDが生成され、これに応じた光波形（ｄ）が得られる。つまり、加熱パルスの立上がり時に付加パワーが加算されて光波形はＰｗ２のレベルとなり、加熱パルスの立下がり時に（冷却パルスの先頭に）付加パワー分減算されて光波形はＰｂ２のレベルとなる。
【００４３】
以上の例のように、照射レベル設定部２及び変調部３で生成されたパルス列電流のパルスの少なくとも一部に、付加パワー制御部３０、付加パワー設定部１６、加減算部５などによって、パルスの立上がり直後（あるいは、パルスの立上がりの後で当該立上がりの近傍でもよい）において、パルスの山部分に当該山部分の幅より短い期間だけ所定値の電流を付加パワーとして付加する。これにより、パルス幅の分解能はそのままで、レーザダイオードＬＤの照射エネルギーの分解能を向上させることができ、精度よい記録マークの形成制御が可能となる。これは、パルス幅の分解能の向上が困難な、光ディスクＤに対する情報の高速記録の際に好適である。
【００４４】
また、付加パワー制御部３０、付加パワー設定部１６、加減算部５などによって、パルス列電流のパルスの少なくとも一部から、パルスの立下がり直後（あるいは、パルスの立下がりの後で当該立下がりの近傍でもよい）において、パルスの谷部分に当該谷部分の幅より短い期間だけ所定値の電流を付加パワーとして減算する。これによっても、パルス幅の分解能はそのままで、レーザダイオードＬＤの照射エネルギーの分解能を向上させることができ、精度よい記録マークの形成制御が可能となる。これは、パルス幅の分解能の向上が困難な、光ディスクＤに対する情報の高速記録の際に好適である。
【００４５】
そして、これらの場合には、前述のように付加パワー制御部３０において（図３を参照）、受光素子ＰＤの受光信号の平均値を求め、この平均値に基づいて加算、減算する付加パワーの電流値を制御すれば、パルス幅の分解能はそのままで、レーザダイオードＬＤの照射エネルギーの分解能を向上させることができるように、付加パワーを容易に制御することができる。よって、個々のレーザダイオードＬＤの特性のばらつきにかかわらず、付加パワーを適正に制御して、レーザダイオードＬＤの光出力の立ち上がり、立下がり特性のばらつきを防止することができる。
【００４６】
すなわち、この場合の制御方法は、次の（１）〜（３）の各工程を順次実行することを繰返すことにより行われる。
【００４７】
（１）照射レベル設定部２及び変調部３で生成されたパルス列電流のパルスの少なくとも一部に、付加パワー制御部３０、付加パワー設定部１６、加減算部５などによって、パルスの立上がり直後（あるいは、パルスの立上がりの後で当該立上がりの近傍でもよい）において、パルスの山部分に当該山部分の幅より短い期間だけ所定値の電流を付加パワーとして付加する。また、付加パワー制御部３０、付加パワー設定部１６、加減算部５などによって、パルス列電流のパルスの少なくとも一部から、パルスの立下がり直後（あるいは、パルスの立下がりの後で当該立下がりの近傍でもよい）において、パルスの谷部分に当該谷部分の幅より短い期間だけ所定値の電流を付加パワーとして減算する。
【００４８】
（２）この付加パワーが加減算されたパルス列でレーザダイオードＬＤを発光する。
【００４９】
（３）この発光を受光素子ＰＤで検出し、付加パワー制御部３０において、受光素子ＰＤの受光信号の平均値を求め、この平均値に基づいて加算、減算する付加パワーの電流値の制御を実行する。
【００５０】
また、記録パワーＰｗの印加時間を再生パワーＰｒの印加時間よりも短く設定し、付加パワー制御部３０により、受光素子ＰＤの受光信号の平均値を求め、この平均値に基づいて加算、減算する付加パワーの電流値を制御すれば、光波形の立上がり、立下がり特性を直接観測することなく付加パワーを調整することができるので、付加パワーの自動調整が低製造コストで可能となる。
【００５１】
また、レーザダイオードＬＤの閾値電流閾値電流Ｉth（前述の図８の光出力０のときの印加電流値）以下に再生パワーＰｒを設定していれば、光波形の立上がり、立下がり特性を直接観測することなく、光の平均値としての単調性を利用して付加パワーを調整するので、付加パワーの自動調整が低製造コストで可能となる。
【００５２】
図４は、この付加パワーを加算した加熱パルスと、レーザダイオードＬＤの照射エネルギーとの関係を示す説明図である。図４において、光波形aは前述の付加パワー（図４においてΔＰ）分を加算しない場合の波形であり、光波形ｂ〜ｅは順次付加パワーの幅を増加したとしたときの波形である。レーザダイオードＬＤが発する照射エネルギーは、その照射パワーを積分した値となるので、各光波形ａ〜ｅに対応する照射エネルギーは図４のようになる。また、光波形ｃ’、ｅ’は付加パワーを加算せずに加熱パルス幅を変化させて照射エネルギーを調整した場合を示す。これは、それぞれ光波形ｃ、ｅと同等の照射エネルギーを加える。記録マークの形成は照射光による昇温により行われるので、照射エネルギーのパルス幅の分解能を向上させることにより、光ディスクＤの熱変化も精度よく制御でき、精度よいマーク形成制御が可能となる。つまり、本例のように、加熱パルスに付加パワーを加算し、この付加パワーの印加時間の幅をＣＰＵ１１３の制御により調整することで（印加時間制御手段、印加時間制御工程）、付加パワーの電流値のみならず、印加時間の幅まで制御するので、パルス幅の分解能はそのままに、照射エネルギーの分解能を向上させることがさらに容易に可能となり、さらに精度よいマーク形成制御が可能となる。これは、パルス幅分解能の向上が困難な光ディスクＤへの高速記録の際により好適に作用する。
【００５３】
同様に冷却パルスから付加パワーを減算することにより、冷却速度もより高精度に制御可能となり、より精度よいマーク形成制御が可能となる。
【００５４】
また、先頭パルスＴＰ、中間パルスＭＰ、最終パルスＬＰに付加する付加信号パルス幅（Ｔｏ１、Ｔｏ２、Ｔｏ３、並びにＴｕ１、Ｔｕ２、Ｔｕ３）をそれぞれ調整することにより、記録マークの前縁部、中間部、後縁部の形状をそれぞれ精度よく形成でき、一様に精度よい記録マークが形成できる。
【００５５】
ところで、光ディスクＤによっては、熱伝導率が高く、畜熱効果により記録マークの形成に前後の記録マークから熱影響を受けてエッジシフトを生じる場合がある。特に色素系追記型の光ディスクではこれが顕著である。そこで、従来は記録マークの前後のスペース長に応じて、記録パルスのパルス幅の調整を行っている。
【００５６】
しかしながら、前述と同様に、光ディスクＤへの高速記録の際にはこのパルス幅調整の時間分解能を向上させることは困難である。
【００５７】
このような場合に好適な光情報記録再生装置１の他の構成例について、図１、図３を参照して説明する。なお、前述した光情報記録再生装置１と共通の構成には同一符号を用い、詳細な構成、動作説明は省略する。
【００５８】
本例で前述の光情報記録再生装置１と異なるのは、変調信号生成部４、付加時間設定部１５などである。まず、変調信号生成部４が入力される記録データWdataのランレングスを計測し、そのマーク長Ｍ１、直前のスペース長Ｓ０、直後スペース長Ｓ１を付加時間設定部１５に供給する。同時に変調信号Mod1、Mod2の生成も、このマーク長Ｍ１、スペース長Ｓ０、スペース長Ｓ１に基づき生成する。付加時間設定部１５は供給されるマーク長Ｍ１、スペース長Ｓ０、スペース長Ｓ１に対応する付加時間（Ｔｏ１、Ｔｏ２、Ｔｏ３、並びにＴｕ１、Ｔｕ２、Ｔｕ３）を選択し、付加信号生成部１１へ供給する。このようにすれば、隣接記録マークからの熱影響を考慮して照射エネルギーを調整することができ、より高精度な記録マークを形成することができる。なお、各付加時間をより影響度の高いランレングスにより補正するようにすると、前述の効果を得た上で、回路要素をコンパクトにすることができる。すなわち、先頭パルスＴＰへの付加時間Ｔｏ１、Ｔｕ１を直前スペースＳ０とマーク長Ｍ１に従って設定し、最終パルスＬＰへの付加時間Ｔｏ３、Ｔｕ３をマーク長Ｍ１と直後スペース長Ｓ１に従い設定するようにすればよい。さらには、中間パルスＭＰへの付加時間Ｔｏ２、Ｔｕ２をマーク長Ｍ１に従い設定するようにしてもよい。
【００５９】
次に、前述したレーザダイオードＬＤの接合容量の影響により光波形の立上がり／立下がりの遅れ（なまり）が生じる場合に好適な光情報記録再生装置１の他の構成例について説明する。
【００６０】
この構成は図２の構成において、付加時間設定部１５により設定する付加時間をレーザダイオードＬＤの接合容量への充放電電流にほぼ相当する分だけ加算するものである。つまり、付加時間の加算分をΔtとすれば、“Δt・Ｉ３”がレーザダイオードＬＤの接合容量への充電電流となるようにΔtを設定する。
【００６１】
図５は、この例について説明する説明図である。レーザダイオードＬＤの駆動電流ＩLD（ａ）の波形aは、レーザダイオードＬＤの駆動電流の立上がり時にオーバーシュート電流Ｉosを付加しない場合であり、波形ｂ〜ｄは、オーバーシュート電流Ｉosの付加時間を順次増加させた場合である。光波形（ｂ）は、この駆動電流ＩLDに対するそれぞれの光波形例（（ａ）と（ｂ）とで符号ａ〜ｄは対応する）である。光波形aは、レーザダイオードＬＤの接合容量への充電電流のために立上がりがなまり、光波形bは、付加したオーバーシュート電流Ｉosが充電電流として充当されて立上がりのなまりを軽減した場合である。さらに付加時間を増加させた場合は、光波形ｃ，ｄのように付加パワー分となり、前述の例と同様に、照射エネルギーの分解能を向上させる機能を果たす。このように、生成して重畳されるオーバーシュート電流Ｉos及びアンダーシュート電流Ｉusの一部は、駆動するレーザダイオードＬＤの接合容量への充放電電流として充当されるため、これによる光波形の立上がり／立下がり時間の遅れ（なまり）を抑制することができ、さらに残り分は加熱パルスに付加パワーを加算して、パルス幅分解能はそのままに、照射エネルギーの分解能を向上させることができるので、その結果、付加パルスも含めて所望の光波形で発光させることができ、正確な記録マーク形成ができる。
【００６２】
なお、使用するレーザダイオードＬＤにより、この接合容量は異なるため、充放電電流の充当分を使用するレーザダイオードＬＤに適正になるよう電流値を設定するようにすると、過不足なく充放電電流として充当できるので、さらに理想的な光波形とすることができ、より正確な記録マーク形成ができる。本例では、付加パワー設定部１６がその機能を果たす。また、オーバーシュート電流Ｉos及びアンダーシュート電流Ｉusの付加時間を変更するようにしても、同様の効果が得られる。本例では付加時間設定部１５がその機能を果たす。もちろん、これらを組み合わせたものであってもよい。
【００６３】
さらには、変化するレーザダイオードＬＤの照射レベル差に応じて、オーバーシュート電流Ｉos及びアンダーシュート電流Ｉusの電流値あるいは付加時間を変更するようにすると、さらに望ましい。つまり、変化する照射レベル差（例えば、Ｐｅ→Ｐｗ、Ｐｂ→Ｐｗ、Ｐｂ→Ｐｅ、という変化による照射レベル差）により、レーザダイオードＬＤのカソード、アノード間の電位差の変化量が異なるため、充放電電流も異なる。よって、変化する照射レベル差に応じて、付加時間（Ｔｏ１，Ｔｏ２，Ｔｏ３）を変更するようにすると、レーザダイオードＬＤの出力の光波形の立上がり／立下がり時間の遅れ（なまり）をより正確に抑制することができる。電流値を変更するようにしても同様の効果は得られる。
【００６４】
次に、光情報記録再生装置１０１では、レーザダイオードＬＤを図３（ｄ）に示すような光波形のパルス列で発光させる。そして、記録データWdataは、図３（ｃ）に示すように、記録マーク長（Ｍ１）とスペース長（Ｓ０，Ｓ１）とを表す信号であり、クロック信号WCKは、この記録マーク長（Ｍ１）とスペース長（Ｓ０，Ｓ１）の長さを規定するクロックである。そして、変調信号生成部４では、記録データWdataとからクロック信号WCKにより記録波形を復元する（第１の手段）。
【００６５】
しかし、記録データWdataには、その波形になまりが発生する場合がある。図６は、記録データWdataが、フレキシブルケーブル等を介して転送されるデータであるために実際に波形（符号３５０）がなまっている様子を示している（図６（ａ））。記録データWdataがこのような波形の場合に、単純にクロック信号WCKを用いて記録データWdataをとりこむと、例えば、本来は３ＴのＨレベル期間でなければならないものが（図６（ｅ）の符号３５３）、２ＴのＨレベル期間として認識してしまう（図６（ｄ）の符号３５２）。この問題を防ぐ為には、記録データWdataのなまりを無くす必要がある。
【００６６】
そこで、光情報記録再生装置１０１では、ＬＤ駆動部４などにイコライズ部１９を設けている。イコライズ部１９は、記録データWdataを高周波領域側でゲインが高くなるようにイコライズする回路である（第３の手段）。イコライズ部１９は、制御部１７からイコライズする周波数とゲインを設定されて動作する（第４の手段、第４の工程）。これにより、記録データWdataについて、図６（ｂ）の符号３５１の波形が得られ、記録データWdataが正しく３Ｔを認識できるようになる（図６（ｅ）の符号３５３）。
【００６７】
このイコライズ部１９でイコライズ処理された記録データWdataが変調信号生成部４に入力されて、この入力された記録データWdataがクロック信号WCKを用いて２値化される。そして、この２値化後の記録データWdataを用いて、前述のようにレーザダイオードＬＤを変調する変調信号Mod1、Mod2を生成するが生成され（第２の手段）、また、付加信号ModO，ModUが生成される。
【００６８】
また、イコライズ部１９は、記録データWdataを内部のレジスタに残し、制御部１７から読み取ることができる。レジスタに残すデータは、常に連続した２つ以上のデータとしているので、例えば、１４Ｔ−３Ｔの繰り返しを実施したときのレジスタの値を読み取ることにより、正しくデータが転送できたかどうか確認し、イコライズの設定を変更することができる。このようにして、システムの起動時にキャリブレーションすることによりイコライズ部１９を常に最適なイコライズにすることが可能となる。また、イコライズ部１９のレジスタに残す設定は、レジスタ値を保持するか常時更新するかを設定できる。
【００６９】
すなわち、光情報記録再生装置１０１は、パルス列で光源であるレーザダイオードＬＤを発光させて記録媒体である光ディスクＤに光を照射することにより記録データWdataを光ディスクＤに記録する光情報記録方法を実施するが、この方法は、以下の各工程を順次実施する。
【００７０】
（１）制御部１７は、イコライズ部１９でイコライズをする周波数とゲインを設定する（第４の工程）。
【００７１】
（２）記録データWdataを高周波領域側でゲインが高くなるようにイコライズ部１９でイコライズを行なう（第４の工程）。
【００７２】
（３）変調信号生成部４において、記録データWdataとクロック信号WCKから記録データWdataの記録波形を復元して２値化する（第１の工程）。
【００７３】
（４）復元後の記録データWdataについて変調してパルス列とする（第２の工程）。
【００７４】
なお、以上の説明では、ＣＤ、ＤＶＤなど光記録を行なう光情報記録装置を例として説明したが、ＭＯやＭＤなど光磁気記録を行なう情報記録装置に本発明を適用することもできる。
【図面の簡単な説明】
【００７５】
【図１】本発明の一実施の形態である光情報記録再生装置の全体構成を説明するブロック図である。
【図２】ＬＤ駆動部を中心とした構成の回路図である。
【図３】図２の回路における各信号のタイミングチャートである。
【図４】付加パワーの幅を変えたときのレーザダイオードの光波形及び照射エネルギーの説明図である。
【図５】付加パワーのより光波形の立上がり、立ち下がりの遅れ（なまり）を抑制する場合のレーザダイオードの光波形及び照射エネルギーの説明図である。
【図６】イコライズ部の作用を説明するタイミングチャートである。
【図７】従来の光ディスク装置の光源駆動装置によりレーザダイオードを駆動する場合の課題を説明する説明図である。
【図８】従来の光ディスク装置の光源駆動装置によりレーザダイオードを駆動する場合の課題を説明する説明図である。
【符号の説明】
【００７６】
１０１  光情報記録装置
Ｄ  記録媒体
ＬＤ  光源
Wdata  記録データ
WCK  クロック信号
【図１】
2005228373.tif 000003
【図２】
2005228373.tif 000004
【図３】
2005228373.tif 000005
【図４】
2005228373.tif 000006
【図５】
2005228373.tif 000007
【図６】
2005228373.tif 000008
【図７】
2005228373.tif 000009
【図８】
2005228373.tif 000010